(57)【特許請求の範囲】
【請求項１】
走行装置を有する車台上に脱穀装置を搭載し、その前部に刈取前処理装置を装着してなるコンバインにおいて、先端部分を前記刈取前処理装置に回動自由に枢着して車台の外側部に沿わせて後方に延長したナロ−ガイドを設け、該ナロ−ガイドの中間部に枢着連結した摺動支持杆を摺動自由に支持する支持部材を前記刈取前処理装置に取り付けて設け、該支持部材の一端側に前記摺動支持杆を遊動状態に挿通したロックプレ−トを傾動可能に設け、該ロックプレ−トを前記摺動支持杆に対して傾斜する方向に張圧するロックばねを設けるにあたり、ロックプレ−トの一端側にロックばねを設け、操作ワイヤーのインナーの一端をナローガイドに連結し、インナーの他端を操作位置近傍の穀稈引起しケースの上部の操作レバーに連結し、操作ワイヤーのアウターの一端を前記ロックプレートの他端側に設け、アウターの他端を穀稈引起しケースの定位置に固定して設け、さらに、前記刈取前処理装置を車台に対して左右方向にスライド調節可能に構成したコンバインのナロ−ガイド装置。
【発明の詳細な説明】
【０００１】
【産業上の利用分野】
本発明は、コンバインのナロ−ガイド装置に関し、主として刈取スライド式のコンバインに利用するものである。
【０００２】
【従来の技術】
コンバインに使用されるナロ−ガイドは、前進しながら刈取脱穀作業を行なうときには走行車体の側部から外方に張り出して隣接した未刈穀稈の条列を車台から遠くへ押し離して車台に巻き込まないようにしながら作業を行なう。又、コンバインは、路上走行時や納屋に格納するときにはナロ−ガイドを車台側に収納して車幅を狭くすることが周囲との障害を少なくするために必要である。
【０００３】
このようなナロ−ガイド装置の切替機構は、従来装置にあっては、ねじを締めたり緩めたりして行なう構成になっている。
【０００４】
【発明が解決しようとする課題】
ナロ−ガイド装置は、従来から、作業に応じて車台の側部から外方に拡張したり、車台側部に沿うように収納したりする拡縮移動調節を頻繁に行なうものである。したがって、ナロ−ガイド装置は、構成が簡単であるとともに、操作が容易にできることが要請されている。
【０００５】
特に、ナロ−ガイド装置は、乗用型のコンバインにあっては車台に対して拡張したり、収納したりする操作を運転席から遠隔操作で行なうことが望ましい。しかも、ナロ−ガイド装置は、上述した一連の操作装置を含めて刈取スライド時に支障がないような構成であることが重要である。この発明は、前述した従来型の欠陥を解消するとともに、上記した課題を解決することを目的とするものである。
【０００６】
【課題を解決するための手段】
本発明は、上述の如き課題を解決するために次の如き技術手段を講ずるものである。すなわち、走行装置を有する車台上に脱穀装置を搭載し、その前部に刈取前処理装置を装着してなるコンバインにおいて、先端部分を前記刈取前処理装置に回動自由に枢着して車台の外側部に沿わせて後方に延長したナロ−ガイドを設け、該ナロ−ガイドの中間部に枢着連結した摺動支持杆を摺動自由に支持する支持部材を前記刈取前処理装置に取り付けて設け、該支持部材の一端側に前記摺動支持杆を遊動状態に挿通したロックプレ−トを傾動可能に設け、該ロックプレ−トを前記摺動支持杆に対して傾斜する方向に張圧するロックばねを設けるにあたり、ロックプレ−トの一端側にロックばねを設け、操作ワイヤーのインナーの一端をナローガイドに連結し、インナーの他端を操作位置近傍の穀稈引起しケースの上部の操作レバーに連結し、操作ワイヤーのアウターの一端を前記ロックプレートの他端側に設け、アウターの他端を穀稈引起しケースの定位置に固定して設け、さらに、前記刈取前処理装置を車台に対して左右方向にスライド調節可能に構成したコンバインのナロ−ガイド装置である。
【０００７】
【実施例】
まず、その構成について述べる。コンバイン１２は、走行装置１としてクロ−ラを有する車台２上にフィ−ドチエン１３を一側に設けた脱穀装置３を穀稈供給口１４を前側にして搭載している。
【０００８】
なお、脱穀装置３は、従来から周知の構成であって、上部には扱胴を内装した扱室を設け、その下方に選別室を配置して構成している。刈取前処理装置４は、後端上部を車台２側に枢着して油圧シリンダ１５によって上下昇降自由に設けた刈取搬送枠１６に、前側から分草杆１７、穀稈引起し装置１８、刈取装置１９、株元搬送装置２０、穂先搬送装置２１を設けて構成している。
【０００９】
そして、分草杆１７は、刈取搬送枠１６の先端低部にあって、車台２の前進にともなって圃場の植立穀稈を分草する構成としている。穀稈引起し装置１８は、引起しラグ２２を有する引起しケ−ス２３を傾斜状態に設けて分草後の倒伏穀稈を引き起こすように構成している。そして、刈取装置１９は、レシプロ式の刈刃を用い前記穀稈引起し装置１８の下方位置に設け、引起し完了後の穀稈を刈り取るように構成している。株元搬送装置２０は、刈り取った穀稈の株元をチエンと挟扼杆とによって挾持して後方上方へ搬送する構成としている。穂先搬送装置２１は、従来同様に、搬送ラグを有し上述のように株元を挾持されて搬送されている穀稈の穂先側を係止して搬送する構成としている。
【００１０】
以上のように構成した刈取前処理装置４は、車台２の前部において左右方向にスライドするように設け、畦際の刈取どきや湿田作業において、走行装置１より側方にスライドして未刈穀稈からクロ−ラを離して刈り取りながら走行できるように構成している。ナロ−ガイド５は、細長い棒状部材からなり、その始端部を刈取前処理装置４を構成する刈取搬送枠１６の分草杆１７の後方位置に回動自由に枢着し、中間部分から後端部分を車台２の側部に沿わせて後方に延長し、後端部を車台２に設けた摺動受具２４に回動および摺動自由に挿通して支持して構成している。
【００１１】
そして、支持部材７は、パイプ状に形成し、刈取搬送枠１６から車台２の外側に向けて設けた腕杆２５に回動自由に取付て設け、前記ナロ−ガイド５の中間部分に枢着した摺動支持杆６を挿通して支持する構成としている。なお、摺動支持杆６は、ナロ−ガイド５を車台２の側部から出し入れ移動すると支持部材７に支持された状態で摺動する構成となっているそして、ロックプレ−ト８は、摺動支持杆６の外径よりはるかに大径の挿通孔を穿設して前記支持部材７の内側において、摺動支持杆６に挿通しており、該摺動支持杆６と直角状にしたときにはフリ−とし、摺動支持杆６に対して斜めになったときにロックする構成としている。
【００１２】
なお、ロックプレ−ト８は、一端側をロックばね９によって張圧して、通常はばね圧によって摺動支持杆６に対して傾斜状態になってその摺動支持杆６の軸方向への摺動移動をロックする構成としている。そして、拡張ばね２６は、摺動支持杆６に巻きつけた状態としてナロ−ガイド５と支持部材７との間に介装しており、ナロ−ガイド５を、常に、外側の拡張方向に押圧する構成としている。
【００１３】
操作ワイヤ−１０は、インナ−１０ａとアウタ−１０ｂとからなる従来からの押し引きワイヤ−を使用し、インナ−１０ａの一端をナロ−ガイド５に連結して他端を操作位置近傍の穀稈引起しケ−ス２３の上部の操作レバ−１１に連結し、アウタ−１０ｂの一端を前記ロックプレ−ト８に連結し、他端を穀稈引起しケ−ス２３の定位置に固定している。
【００１４】
そして、操作レバ−１１は、穀稈引起しケ−ス２３の裏側に上下方向に案内溝を形成したレバ−ガイド２７を設け、これによって案内される構成としている。したがって、ナロ−ガイド５は、操作レバ−１１の引き操作によってインナ−１０ａが引かれて逆にアウタ−１０ｂが押される結果となってロックプレ−ト８が摺動支持杆６に直角の状態となり、拡張ばね２６の作用によって順次拡張する構成になっており、収納する場合には、操作レバー１１をそのまま引けば、拡張ばね２６に抗しながら収納できる構成になっている。
【００１５】
別実施例１
摺動支持杆６は、図６に示すように、ナロ−ガイド５を収納側に移動したとき端部が刈取搬送枠１６に軸架している掻込スタ−ホィ−ル２７の下側に退避できる関係位置に構成している。このように構成すると、摺動支持杆６は、ナロ−ガイド５を車台２側に収納した状態で作業をしても穀稈の搬送通路を邪魔することがない。
【００１６】
別実施例２
図７に示す実施例は、ナロ−ガイド５の張出し幅を測定するために摺動支持杆６に目盛２８を付けた構成としている。このように構成すれば、ナロ−ガイド５は、その張出幅が目盛によって分かるため、圃場の植立穀稈の稈長に応じた拡張を簡単に操作できる。
【００１７】
別実施例３
図８、９に示す別の実施例について説明する。摺動支持杆６は、先端部部をＬ字形状に曲げてその先端部にナロ−ガイド５をねじ３０によって着脱自由に取り付けるように構成している。そして、この摺動支持杆６は、支持部材７に回動自由にして貫通し、軸方向に移動自由に構成している。
【００１８】
ストッパ−３１は、摺動支持杆６の先端部分に基部を取付け、先端を支持部材７側のストッパ−受３２に受け止められてそれ以上収納できない構成にしている。なお、ナロ−ガイド５は、中間部を連結用弾性体３３によって連結している。
【００１９】
この別実施例のナロ−ガイド５は、以上のように構成することによって、長稈短稈に応じてナロ−ガイド５の高さ位置を上下に切替えることができる。すなわちナロ−ガイド５は、ねじ３０を緩めて摺動支持杆６から外してその摺動支持杆６を１８０度回転した後、ねじ３０によって取り付ける。すると、ナロ−ガイド５は、低く位置を変更することができる。
【００２０】
このように、ナロ−ガイド５は、刈り取る穀稈に長短に応じて、丈の長い穀稈には高い位置（図９の仮想線）に、丈の短い穀稈には低い位置（図９の実線）に変更して作業ができるから、圃場の穀稈を適確に案内しながら刈取脱穀作業ができる。そこで、このナロ−ガイド５は、高い位置にあるときに収納作業を行なうと図９に締めしように中間部分から後部が車台２に接触する高さ位置に達するが、ストッパ−３１は、その直前にストッパ−受けに当ってそれ以上収納ができなくなり、車台２に衝突することがない。
【００２１】
なお、ナロ−ガイド５は、低い位置にあるときにはストッパ−３１がスットパ−受け３２に衝突することなく、奥まで収納でき、後部が車台の下側を入ることができて車台２との衝突もなく、安全である。次にその作用について説明する。ナロ−ガイド５は、張圧ばね２３に引かれて摺動支持杆６に対して傾斜した関係角度を保っているロックプレ−ト８によってロックされ、拡張移動ができない状態が確保されている。
【００２２】
まず、作業に先だって、ナロ−ガイド５を車台２の外側方に拡張する操作は、操作レバ−１１をレバ−ガイド２７の案内溝に沿って操作すると、インナ−１０ａが引かれてアウタ−１０ａが押される状態になってロックプレ−ト８を摺動支持杆６に対して直角の状態にしてロックを開放する。すると、ナロ−ガイド５は、拡張ばね２６の作用によって車台２から外側の拡張方向に移動し、適宜の位置でロックすると、図４に仮想線で示すように、車台２から外方に張出した状態になる。この場合、ナロ−ガイド５は、車台２の操縦位置に搭乗したままでレバ−操作によって行なうことができる。
【００２３】
このようにして、ナロ−ガイド５は、刈取前処理装置４および車台２の外側（未刈り穀稈側）に張出した状態になり作業態勢となる。以上のように準備をして、コンバイン１２の回転各部を駆動しながら刈取脱穀作業を開始すると、圃場の穀稈条列は、まず、分草杆１７の先端によって左右に分草され刈幅内に進むものと分草杆１７（未刈り穀稈側）の外側になるものとに区分される。
【００２４】
そして、分草杆１７の外側に位置する未刈り穀稈条列は、刈取前処理装置４の前部からナロ−ガイド５の始端部分で外側方への押圧力を受けて順次離され、その刈取前処理装置４と後方の車台２から遠い位置に押されて離れ、刈取前処理装置４に絡んだり、車台２に接触して脱粒するのを未然に防止できる。このように、コンバイン１２は、前進しながら作業を続けると、刈幅内にある穀稈が穀稈引起し装置１８の引起しラグ２２によって引き起こされ、株元が刈取装置１９に達して刈り取られる。そして、刈取穀稈は、株元部分が株元搬送装置２０の始端部分に達して挟扼搬送が開始され、上部が穂先搬送装置２１の搬送ラグに係止されて順次上方へ搬送される。
【００２５】
そして、穀稈は、フィ−ドチエン１３の始端部に達して挟扼状態となって搬送されながら穀稈供給口１４から扱室に供給されて回転している扱胴によって脱穀される。このようにして、脱穀される穀稈は、回転している扱胴の扱歯によって持ち回られながら更に脱穀作用を受け、下方の選別室に落下して選別処理されるものである。
【００２６】
さて、つぎに、コンバイン１２を路上走行したり、納屋に格納する場合には、前述したナロ−ガイド３を拡張する操作と同様に操作レバ−１１を操作すると、ロックプレ−ト８は、摺動支持杆６と直角状態になるまで傾動してその摺動支持杆６のロックを解除する。つぎに、ナロ−ガイド５は、操作レバ−１１を引き操作し続けると、インナ−１０ａが引かれて拡張ばね２６に抗しながら内側に移動して収納される。
【００２７】
このようにして、ナロ−ガイド５は、刈取前処理装置４や車台２に接近する方向に収納され全体の横幅を狭くできて、路上走行や納屋への格納にきわめて便利である。さて、これら一連のナロ−ガイド５および操作関連装置は、刈取前処理装置４を構成する刈取搬送枠１６に取り付けているから、作業中に刈取スライドをしても一体にスライドするから何らの支障がなく、安全に作業ができる特徴がある。
【００２８】
【発明の作用効果】
以上説明したように本発明は、走行装置を有する車台上に脱穀装置を搭載し、その前部に刈取前処理装置を装着してなるコンバインにおいて、先端部分を前記刈取前処理装置に回動自由に枢着して車台の外側部に沿わせて後方に延長したナロ−ガイドを設け、該ナロ−ガイドの中間部に枢着連結した摺動支持杆を摺動自由に支持する支持部材を前記刈取前処理装置に取り付けて設け、該支持部材の一端側に前記摺動支持杆を遊動状態に挿通したロックプレ−トを傾動可能に設け、該ロックプレ−トを前記摺動支持杆に対して傾斜する方向に張圧するロックばねを設けるにあたり、ロックプレ−トの一端側にロックばねを設け、操作ワイヤーのインナーの一端をナローガイドに連結し、インナーの他端を操作位置近傍の穀稈引起しケースの上部の操作レバーに連結し、操作ワイヤーのアウターの一端を前記ロックプレートの他端側に設け、アウターの他端を穀稈引起しケースの定位置に固定して設け、さらに、前記刈取前処理装置を車台に対して左右方向にスライド調節可能に構成したものであるから、拡張したり収納する操作を操縦位置に搭乗した状態でレバ−操作によって行なうことができる特徴を有するものである。
【００２９】
しかも、本発明にあっては、ナロ−ガイド装置と関連部材、および、一連の操作装置を刈取前処理装置に取り付けているから、刈取脱穀作業中に刈取スライドをしても何らの支障もなく、確実な操作ができる効果を有するものである。
【図面の簡単な説明】
【図１】本発明の一実施例であって、説明用に概略図である。
【図２】本発明の一実施例であって、図１のレバ−ガイドの正面図である。
【図３】本発明の一実施例であって、その一部の平面図である。
【図４】本発明の一実施例であって、その作用平面図である。
【図５】本発明の一実施例であって、その側面図である。
【図６】本発明の別実施例であって、その作用平面図である。
【図７】本発明の別実施例であって、その平面図である。
【図８】本発明の別実施例であって、その一部の作用を示す切断正面図である。
【図９】本発明の別実施例であって、その作用側面図である。
【符号の説明】
１…走行装置、２…車台、３…脱穀装置、４…刈取前処理装置、５…ナロ−ガイド、６…摺動支持杆、７…支持部材、８…ロックプレ−ト、９…ロックばね、
１０…操作ワイヤ−、１０ａ…インナー、１０ｂ…アウター、１１…操作レバ−、
２３…穀稈引起しケース。
【図１】
0003629724.tif 000002
【図２】
0003629724.tif 000003
【図３】
0003629724.tif 000004
【図４】
0003629724.tif 000005
【図５】
0003629724.tif 000006
【図６】
0003629724.tif 000007
【図７】
0003629724.tif 000008
【図８】
0003629724.tif 000009
【図９】
0003629724.tif 000010